(57)【要約】  本発明は複数の患者（３２）のための薬剤の調製装置（１０）および分配装置（４０）であって、少なくとも１つの調製スタンド（１６）と、分配スタンド（４３）と、ピルケース（１２）が挿入される容器（１５）とをそれぞれ備える装置に関する。調製スタンドおよび分配スタンドは同一の容器を受けるように適合され、それぞれの分配装置の情報処理手段は調製装置の情報処理手段と共有されるデータベースにアクセスする。本発明は、少なくとも１つの調製装置と少なくとも１つの分配装置を備える集合体、およびそれらの装置を用いて実施される薬剤の調製および分配の方法にも及ぶ。【選択図】図１
2019536519.tif 000002
【特許請求の範囲】
【請求項１】
複数の患者に対して薬剤を調製し、分配する装置の集合体において、
前記複数の患者のために薬剤をピルケースに調製する少なくとも１つの装置（１０）であって、
前記複数の患者のうちのある患者用のパッケージであるピルケース（１２）の少なくとも１つの区画に、１日のうちのあるタイミングである服用時間に当該患者に交付するための少なくとも１つの薬剤のセットである一回服用分の薬剤を充填するように適合された少なくとも１つの包装機（１１）と、
前記薬剤、前記ピルケースおよびそれらが提供される前記患者に関する情報を記録するように適合された情報処理手段である第１の情報処理手段（１９）と、
それぞれが患者個人に対応する複数のピルケースを受けるように適合された少なくとも１つの容器（１５）と、
前記第１の情報処理手段と接続され、前記少なくとも１つの容器を受けるように適合された少なくとも１つのスタンドである調製スタンド（１６）であって、前記調製スタンドに設置されたそれぞれの容器の識別（１８）と、それぞれの容器内におけるそれぞれのピルケースの識別および所在の情報とを共有のデータベース（１４）に記録するように適合されたスタンドと
を備える装置と、
前記複数の患者に薬剤を分配する少なくとも１つの装置（４０）であって、
情報処理手段である第２の情報処理手段（４２）を備える分配用の移動ユニット（４１）と、
前記第２の情報処理手段に接続された投薬対象患者の識別手段（４６、５０）と、
一意の識別（１８）を備える少なくとも１つの容器（１５）であって、それぞれが患者個人に対応する複数のピルケース（１２）を受けるように適合された、容器と、
前記分配用の移動ユニット（４１）に装備され、前記第２の情報処理手段に接続され、前記容器を受けるように適合された少なくとも１つのスタンドである分配スタンド（４３）であって、前記共有のデータベース（１４）に基づいて前記分配スタンドに設置された前記容器を識別し、投薬対象患者の識別に対応する容器内におけるピルケースの位置を指示するように適合されたスタンドと
を備える装置と
を備えること、
前記調製スタンド（１６）および前記分配スタンド（４３）が同一の容器（１５）を受けるように適合されること、
ならびに、前記第１および第２の情報処理手段（１９、４２）が前記容器の識別および内容物の情報を備えた共通の前記共有のデータベース（１４）を共有すること
を特徴とする集合体。
【請求項２】
それぞれのピルケース（１２）が複数のパッケージ区画を備え、それぞれのパッケージ区画が少なくとも１つの薬剤の集合体である一回服用分の薬剤を含み、当該それぞれのピルケース（１２）が前記ピルケースの識別コードを有すること、それぞれの調製スタンド（１６）が当該調製スタンドに受けたそれぞれの容器に含まれるそれぞれのピルケースのそれぞれの識別コードを読み取って記録することができるように適合されること、およびそれぞれの分配スタンド（４３）がその分配スタンドに受けたそれぞれの容器に含まれるそれぞれのピルケースのそれぞれの識別コードを読み取ることができるように適合されることを特徴とする、請求項１に記載の集合体。
【請求項３】
調製場所と分配場所（３０）との間の輸送、および分配場所での保管に適した容器一式の安全が確保された梱包手段（２６）をさらに備えることを特徴とする、請求項１または２に記載の集合体。
【請求項４】
それぞれの容器（１５）が、１つだけのピルケース（１２）を受けるようにそれぞれ適合された複数の所定の位置を備えることを特徴とする、請求項１から３のいずれか一項に記載の集合体。
【請求項５】
それぞれの調製スタンド（１６）およびそれぞれの分配スタンド（４３）が、容器（１５）が前記スタンド（１６、４３）内に設置されたときのその容器のそれぞれの位置におけるピルケースの存在（４９）を検出する手段を備えることを特徴とする、請求項１から４のいずれか一項に記載の分配のための集合体。
【請求項６】
それぞれの容器（１５）が、前記第１および前記第２の情報処理手段と関連付けられた読取り手段による読取りが可能な一意の識別手段（１８）を備えることを特徴とする、請求項１から５のいずれか一項に記載の集合体。
【請求項７】
識別のための前記手段が、少なくとも１つの非接触型読取りコードを備えることを特徴とする、請求項６に記載の集合体。
【請求項８】
識別のための前記手段（１８）が、前記容器（１５）と一体化した記憶装置であって、前記容器が設置される前記スタンド（１６、４３）による読取りが行えるように適合された記憶装置を備えることを特徴とする、請求項６または７に記載の集合体。
【請求項９】
それぞれの容器（１５）が、前記容器がスタンドに設置されていないときには前記ピルケースを前記容器内に錠止する手段（１５２）を備えることを特徴とする、請求項１から８のいずれか一項に記載の集合体。
【請求項１０】
複数の患者のために薬剤をピルケースに調製する装置（１０）であって、
前記複数の患者のうちのある患者用のパッケージであるピルケース（１２）の少なくとも１つの区画に、１日のうちのあるタイミングである服用時間に当該患者に交付するための少なくとも１つの薬剤のセットである一回服用分の薬剤を充填するように適合された少なくとも１つの包装機（１１）と、
前記薬剤、前記ピルケースおよびそれらが提供される前記患者に関する情報を記録するように適合された情報処理手段である第１の情報処理手段（１９）と
を備える装置において、
それぞれが患者個人に対応する複数のピルケースを受けるように適合された少なくとも１つの容器（１５）と、
前記第１の情報処理手段と接続され、少なくとも１つの前記容器を受けるように適合された少なくとも１つのスタンドである調製スタンド（１６）であって、前記調製スタンドに設置されたそれぞれの容器の識別（１８）と、それぞれの容器内におけるそれぞれのピルケースの識別および所在の情報とを共有のデータベース（１４）に記録するように適合されたスタンドと
を備えることを特徴とする装置。
【請求項１１】
請求項１から９のいずれか一項に記載の集合体の一部を構成するように適合されることを特徴とする、請求項１０に記載の薬剤の調製装置。
【請求項１２】
複数の患者に薬剤を分配する装置（４０）であって、
情報処理手段である第２の情報処理手段（４２）を備える分配用の移動ユニット（４１）と、
前記第２の情報処理手段に接続された投薬対象患者の識別手段（４６、５０）と
を備える装置において、
一意の識別（１８）を備える少なくとも１つの容器（１５）であって、それぞれが患者個人に対応する複数のパッケージであるピルケース（１２）を受けるように適合された、容器と、
前記分配用の移動ユニット（４１）に装備され、前記第２の情報処理手段に接続され、前記容器を受けるように適合された、少なくとも１つのスタンドである分配スタンド（４３）であって、共有のデータベース（１４）に基づいて前記分配スタンドに設置された前記容器を識別し、投薬対象患者の識別に対応する前記容器内におけるピルケースの位置を指示するように適合されたスタンドと
を備えることを特徴とする装置。
【請求項１３】
前記分配用の移動ユニット（４１）が前記第２の情報処理手段（４２）および前記分配スタンド（４３）の電源手段（４８）を備えることを特徴とする、請求項１２に記載の分配装置。
【請求項１４】
前記分配用の移動ユニット（４１）が非接触型読取りコードの読取り手段（４６）を備えており、当該読取り手段（４６）が前記第２の情報処理手段（４２）と関連付けられて、患者（３２）の識別コード（３７）、容器（１５）の識別コードおよびそれぞれのピルケース（１２）に付けられた情報コードを読み取るように適合されることを特徴とする、請求項１２または１３に記載の分配装置。
【請求項１５】
前記分配用の移動ユニット（４１）が、患者に対する一回服用分の薬剤の分配のタイムスタンプ用の時計（４７）を備えることを特徴とする、請求項１２から１４のいずれか一項に記載の分配装置。
【請求項１６】
前記分配用の移動ユニット（４１）の前記第２の情報処理手段（４２）が、共有の前記データベース（１４）にアクセスするために情報通信ネットワーク（３４、３５）と通信するように適合された通信手段（４５）を備えることを特徴とする、請求項１２から１５のいずれか一項に記載の分配装置。
【請求項１７】
前記分配用の移動ユニット（４１）の前記第２の情報処理手段（４２）が、前記共有のデータベース（１４）のローカルコピーが記録された少なくとも１つの記憶装置をさらに備えることを特徴とする、請求項１２から１６のいずれか一項に記載の分配装置。
【請求項１８】
請求項１から９のいずれか一項に記載の集合体の一部を構成するように適合されることを特徴とする、請求項１２から１７のいずれか一項に記載の分配装置。
【請求項１９】
複数の患者のための薬剤の調製および分配の方法であって、前記複数の患者の各々の患者（３２）について、前記各々の患者のための薬剤が、複数のパッケージ区画を備える一続きの少なくも１つのパッケージであるピルケース（１２）に梱包され、それぞれのパッケージ区画に、１日のうちのあるタイミングである服用時間にその患者に交付するための少なくとも１つの薬剤のセットである一回服用分の薬剤が含まれる方法において、
調製ステップでは、
共有のデータベース（１４）にアクセスできるように適合された情報処理手段である第１の情報処理手段（１９）につながれた少なくとも１つのスタンドである調製スタンド（１６）を使用し、
複数のピルケースを受けるように適合された少なくとも１つの容器（１５）を前記スタンドに設置し、前記調製スタンドに設置されたそれぞれの容器の識別（１８）を前記データベースに記録し、
少なくとも１つのピルケースをそれぞれの容器に挿入し、それぞれの容器内におけるそれぞれのピルケースの識別および所在の情報を共有の前記データベースに記録し、
分配ステップでは、
前記共有の前記データベース（１４）を共有するように適合された第２の情報処理手段（４２）につながれたスタンドである分配スタンド（４３）を使用し、
前記分配スタンドに容器（１５）を設置し、
データ入力手段（４６、５０）を使って前記容器の識別情報（１８）を読み取り、
それぞれの患者について、前記データ入力手段（４６、５０）を使って前記患者の識別（３７）を取得し、
前記患者の識別に応じて前記第２の情報処理手段により前記共有のデータベースを調べ、前記患者に対応する前記ピルケースの前記容器内における前記所在を指示するように分配スタンドを操作する、
方法。
【発明の詳細な説明】
【技術分野】
【０００１】
本発明は、同一の施設、とりわけ医療福祉施設、たとえば老人ホーム、障害者施設、療養または介護施設（たとえば海洋療法施設）、サナトリウム、病院、診療所等々に入所する患者など、複数の患者に分配するために薬剤をピルケースに調製する装置に関する。本発明はまた、それら薬剤の分配装置、そうした薬剤の調製装置および分配装置の集合体、さらに複数の患者に対する薬剤の調製および分配の方法にも関する。
【背景技術】
【０００２】
たとえば、国際公開第２０１２／０６２９８６号により、１人の患者のための１つの処方に対応する薬剤の調製装置であって、複数のパッケージ区画を備える一続きのパッケージを形成するピルケースの形の装置が知られており、それぞれのパッケージ区画は、同じ１人の患者に、１日のうちのあるタイミングである服用時間に交付するための、少なくとも１つの薬剤の１つの集まりである一回服用分の薬剤を含む。この既知の装置では、包装機はピルケースのそれぞれの区画に区画当たり一回服用分の薬剤を充填する。それと並行して、この包装作業の様々なパラメータがチェックされ、情報処理システムによって集中管理されたデータベースに記録される。たとえば、データベースはそれぞれのピルケースについて、ピルケースの一意の識別子、そのピルケースの対象者である患者の氏名、使用した処方、それぞれの区画に含まれる薬剤の数および種類、それら薬剤のトレーサビリティ情報などを受け取る。この場合、処方の期間やピルケースの対応期間によっては、複数のピルケースが同じ１人の患者に対応する場合もある。調製に必要な手段を考慮して、ピルケースの調製は一般に薬局、たとえば複数の医療福祉施設を受け持つ集中管理型の薬局で行われる。そうして調製されたピルケースは、その後、介護スタッフがそれを使って患者への分配を行う施設へと配送される。
【０００３】
その段階で、薬剤の分配の安全確保および効率に関して障害となる様々な過誤が生じる可能性がある。たとえば、ある施設に向けられたピルケースが別の施設に発送されてしまい、２つの施設の間で少なくとも分配の混乱が起こる可能性がある。また、ある患者の治療期間が長くなって同じ患者のために２つの同じピルケースが用意されることになれば、２人の別々の介護者がその同じ患者に対してそれぞれ別のピルケースを使うというリスクが存在する。また、ある服用時間に対応する用量が分配の前に、たとえば施設のあるフロアを受け持つ医務室で、ピルケースから取り分けられていれば、薬剤の分配の準備は複雑なものとなってしまう可能性がある。
【０００４】
仮にそうした過誤が起きても、それが有害な結果につながることを防ぐため、上述の文献では、集中管理されたデータベースに無線でつながれた可搬型情報端末を備える分配装置を使用して、正しい患者に対して一回服用分の薬剤が正しく分配されることを確認し、分配のタイムスタンプを記録できるようにすることが想定されている。
【０００５】
それでも、用意された様々なピルケースまたはピルケース部分の中からどれが対象とする患者に対応するものかを特定するときの困難は残る。その探索には時間がかかり、そのことはスタッフによるミスや苛立ちの原因ともなりうる。もう１つの解決法は、分配のための巡回の順序と一致する順序でピルケースを用意するというものであるが、何らかの理由で巡回の順序を変更しなければならないときには、分配準備の際に介護スタッフに手間をかけ、制約を課すものとなる可能性がある。
【０００６】
米国特許出願公開第２００９／０１５２２９１号は、薬剤の自動選別およびパッケージング装置について記載しているが、複数の患者への薬剤の分配のためのピルケースの調製にも、ピルケースの利用にも関係するものではない。
【先行技術文献】
【特許文献】
【０００７】
【特許文献１】国際公開第２０１２／０６２９８６号
【特許文献２】米国特許出願公開第２００９／０１５２２９１号
【発明の概要】
【０００８】
そこで、本発明は、複数の患者に対して薬剤の調製および分配を行う装置であって、介入者の仕事を容易にする装置を提供することを目的とする。
【０００９】
本発明はまた、薬剤の調製、輸送および分配のそれぞれの作業の安全性の向上も目的とする。
【００１０】
そのため、本発明は、１つの態様によれば、請求項１０に記載の、複数の患者のために薬剤をピルケースに調製する装置に関する。共有のデータベースは第１の情報処理手段によって少なくとも書込みでアクセス可能であり、したがってその一部を形成する。
【００１１】
このような調製装置を用いることで、包装機によって調製され、識別されたピルケースは一意に識別される容器に直接収納される。それぞれのピルケースはあらかじめ定められた患者に対応しており、すなわち、１人だけの患者の識別コードを少なくとも有する。それぞれのピルケース自体は容器内で第１の情報処理手段によって識別され、位置確認が行われるが、その第１の情報処理手段はたとえば、患者、処方、使用薬剤（ロット、有効期限など）、ピルケースの引渡し先の介護施設などに関する情報をひとまとめにしたデータベースを含んだ記憶装置につながれたコンピュータを備える。そのため、第１の情報処理手段のプログラムを適切に組むことで、識別されないピルケースまたは所与の容器で承認されていないピルケースが挿入されたとき、場合により警報が発せられるようにすることができる。警報が出される可能性があるのは、たとえば、同じ患者に対応する２つのピルケース（たとえば、別個の２つの期間について調製されたもの）が同じ１つの容器内に収納された場合である。
【００１２】
考えられる有利ないくつかの実施形態では、調製スタンドは、容器内におけるピルケースの識別および所在の記録を行うだけでなく、たとえば患者や介護施設内でのその所在に応じて、包装機内で調製されたばかりのピルケースをどの容器に、また容器内のどの位置に挿入しなければならないかを作業者に示すことができる。そのため、本発明による調製装置はその後の薬剤の分配を可能な限り効率的に準備することができる。
【００１３】
本発明はまた、別の態様によれば、請求項１２に記載の、複数の患者に薬剤を分配する装置にも関する。とりわけ、共有の前記データベースは、第２の情報処理手段によって少なくとも読取りでアクセス可能であり、薬剤の調製装置の情報処理手段との間で  −  特に本発明による薬剤の調製装置の前記第１の情報処理手段との間で  −  共有される。
【００１４】
本発明による薬剤の分配装置により、患者グループ、たとえば介護施設の１フロアでグループにした患者らに対する薬剤の分配が簡易に、安全に、かつより迅速になる。実際、介護者は、該当する患者グループに対応する容器を取り出し、その識別を確認し、分配用の移動ユニットに装備された分配スタンドに容器をセットするだけでよい。薬剤の分配では、あらかじめ定められた経路をもはやたどる必要はなく、当該患者の部屋の扉にある光学読取りコード（特にバーコードまたは二次元コード）を読み取るなり、ディスプレイに表示されたリストから患者を選択するなりして、誰であろうとその患者が識別手段によって特定されさえすれば、分配スタンドは、容器充填時に作成された共有のデータベースから得られる容器関連の情報であって、移動ユニットに装備された前記第２の情報処理手段が少なくとも読取りでアクセス可能な情報を組み合わせることで、対応するピルケースの位置を介護者に対して直ちに指し示す。調製済みのピルケース全体の中からそのピルケースを探す必要はなくなり、過誤の危険が最小化される。
【００１５】
本発明は、複数の患者に対して薬剤を調製し、分配する本発明による装置の集合体にも関する。そのため、本発明はとりわけ請求項１に記載の装置の集合体にも関する。
【００１６】
本発明による薬剤の調製装置および分配装置の集合体の性能は、調製装置と分配装置が同一の容器と、その同一の容器を受けるように適合されたスタンドとを使用することで大幅に改善される。また、中央の薬局で使用される調製装置と患者を収容する１つまたは複数の施設に振り分けられた１つまたは複数の分配装置との間の共通のデータベースで情報を共有することによって、過誤の危険を最小化するとともに、薬剤の調製および分配のトレーサビリティを改善することができる。
【００１７】
本発明のいくつかの実施形態によれば、それぞれのピルケースは複数のパッケージ区画を備え、それぞれのパッケージ区画は少なくとも１つの薬剤の集まりである一回服用分の薬剤を含み、それぞれのピルケースはピルケースの識別コードを有しており、それぞれの調製スタンドはその調製スタンドに受けたそれぞれの容器に含まれるそれぞれのピルケースのそれぞれの識別コードを読み取って記録することができるように適合されており、それぞれの分配スタンドはその分配スタンドに受けたそれぞれの容器に含まれるそれぞれのピルケースのそれぞれの識別コードを読み取ることができるように適合されている。
【００１８】
本発明のいくつかの実施形態では、ピルケースは１回使用（すなわち使い捨て）タイプのもの、たとえば透明ブリスター型のものである。また、本発明のいくつかの実施形態では、それぞれのピルケースは複数のパッケージ区画を備え、ピルケースのそれぞれのパッケージ区画はピルケースの別のパッケージ区画と切離し可能で、好ましくはパッケージ区画の開放前に切離し可能である。たとえば、それぞれのパッケージ区画は除去可能なカバーフィルムによって閉ざされたブリスター型の透明な小房またはカップによって形成されており、その全体がピルケースの隣り合う別のパッケージ区画とミシン目でつながっている。それにより、それぞれのピルケースは少なくとも１列の  −  特に１列だけの  −  カップであって、粘着ラベルなどの形の除去可能なカバー付きのカップによって形成される。しかしながら、本発明はそれ以外のあらゆる実施形態のピルケースにも適用される。
【００１９】
本発明によるこうした集合体の１つの実施形態によれば、その集合体は、容器一式の安全が確保された梱包手段をさらに備え、それら梱包手段は調製場所と分配場所との間のそのような容器一式の輸送が可能となるように、さらに分配場所における保管のために適合化される。たとえば４つの容器を収容できるケースの形を取るこうした安全を確保した梱包手段により、薬剤の分配を、たとえば服用時間ごとに分けて、４つの容器が同じ患者グループのそれぞれ別々の服用時間に対応するように企図することができる。
【００２０】
本発明の有利ないくつかの実施形態では、それぞれの容器は、１つだけのピルケースを受けるようにそれぞれ適合された複数の所定の位置を備える。その場合、それぞれの容器は側壁に平行な複数のスライダを備えるボックスの形に構成することができ、対のスライダはそれぞれ１つだけのピルケースを受け入れることができる。スライダの対の数は、介護施設の平均患者収容能力、たとえばフロア当たり２５名程度に対して適合される。
【００２１】
本発明の有利ないくつかの実施形態では、それぞれのスタンドは、容器がスタンド内に設置されたときのその容器の少なくとも一部の位置  −  特にそれぞれの位置  −  におけるピルケースの存在を検出する手段を備える。そのため、調製の際に容器の充填の検証を行うことができ、同様に、容器が分配スタンドに設置されたときに設置された容器およびピルケースの健全性の検証も行うことができる。そうすることにより、調製場所と分配場所との間の輸送の間に失われたピルケースがないか確認することができる。
【００２２】
本発明の有利ないくつかの実施形態では、それぞれの容器は第１および第２の情報処理手段による読取りが可能な一意の識別手段を備える。そのため、それぞれの容器はその使用時に確実かつ一意に識別することができる。
【００２３】
本発明の有利ないくつかの実施形態では、識別手段は少なくとも１つの非接触型読取りコード、特に光学読取り式またはＲＦＩＤ式のコードを備える。これらの識別手段は、薬剤分配時に患者の識別のために使用される識別手段と同様のものであることが好ましい。
【００２４】
別法として、または補完的に、本発明の有利ないくつかの実施形態では、識別手段は、容器と一体化した記憶装置であって、容器が設置されるスタンドによる読取りが行われるように適合された記憶装置を備える。そのため、容器と一体化されたＵＳＢメモリなどの記憶装置を備える電子回路を、容器がスタンドに挿入されたときにスタンドに設けられた適当な差込口に差し込むことができる。記憶装置は、容器の一意の識別コードのほかに、その内容物に関する補完情報（たとえば、容器内に含まれるピルケースに関するデータベースの一部のコピーなど）を備えてよい。
【００２５】
本発明の有利ないくつかの実施形態では、それぞれの容器は、容器がスタンドに設置されていないときはピルケースを容器内に錠止する手段を備える。このような錠止手段は、少なくとも容器がスタンドに設置されていないときには、それぞれのピルケースを容器内の所定の位置に錠止できる。少なくとも容器がスタンド内に設置されていないときに機能する容器内のピルケースの個別または一括錠止手段を用いることにより、調製場所と分配場所との間の輸送操作中にピルケースが紛失するのを防ぐことができる。このような容器内におけるピルケースの錠止手段は、手動操作で錠止の位置に動かすタイプの手段であることもできれば、容器がスタンド内に設置されていないときに自動的に錠止の位置に動くタイプの手段であることも、さらには半自動（すなわち、自動的な動作に手動操作を組み合わせたもの）で錠止の位置にするタイプの手段であることもできる。このような容器内におけるピルケースの錠止手段はまた、手動操作で開錠の位置（ピルケースはその位置で容器から取り出すことができる）に動かすタイプの手段であることもできれば、容器がスタンド内に設置されているときに自動的に開錠の位置に動くタイプの手段であることも、さらには半自動（すなわち、自動的な動作に手動操作を組み合わせたもの）で開錠の位置にするタイプの手段であることもできる。
【００２６】
本発明のいくつかの実施形態では、本発明による分配装置は、分配用の移動ユニットが第２の情報処理手段および分配スタンドの電源手段を備えることを特徴とする。移動ユニット（たとえば分配ワゴンであるもの）に電源（たとえば１つまたは複数の充電式バッテリからなるもの）を装備することにより、分配のために使用するすべての手段、すなわち分配スタンド、第２の情報処理手段、識別コード読取り装置などに対して給電することができる。その際、複数の移動ユニットを設けて、その一部は、他の部分が分配に使用されている間に充電することも可能である。
【００２７】
本発明のいくつかの実施形態では、分配用の前記移動ユニットは、非接触型読取りコードの読取り手段であって、第２の情報処理手段と関連付けられて、患者の識別コード、容器の識別コードおよびそれぞれのピルケースに付けられた情報コードを読み取るように適合された読取り手段を備える。本発明による分配方法で使用される各種の識別コードおよび／または情報コードの読取りに、たとえばレーザースキャナ型の光学式読取りコード（たとえばバーコードや二次元コード）リーダなど、同一の手段を使用することで、介護者は患者、ピルケースおよび分配される薬剤を順に特定していく際に読取りツールを変える必要がなく、薬剤分配のプロセスは迅速化される。当然のことながら、上述の読取り手段に関しては、必要に応じて写真で補完されたリストから患者を選択することができるように第２の情報処理手段につながれたキーボード／マウスおよびディスプレイのセットやタッチパネルのようなその他のデータ入力手段を変形形態として、または組み合わせ形態で使用する可能性が排除されるものではない。
【００２８】
本発明のいくつかの実施形態では、分配用の前記移動ユニットは患者に対する一回服用分の薬剤の分配のタイムスタンプ用の時計を備える。それにより、それぞれのピルケースに関して予定された服用時間と分配時間について、少なくとも両者の一致を検証し、確認することが可能となる。
【００２９】
本発明のいくつかの実施形態では、分配用の移動ユニットの第２の情報処理手段は、共有の前記データベースに少なくとも読取りでアクセスするために情報処理ネットワークと通信するように適合された通信手段を備える。好ましくは、前記第２の情報処理手段は共有の前記データベースに対して書込みでもアクセスできるように適合される。Ｗｉ−ＦｉやＢｌｕｅｔｏｏｔｈ（登録商標）のような無線周波数接続を介した無線通信手段を利用することで、共有のデータベースにリアルタイムでアクセスして、たとえば患者による薬剤服用の事実や、薬剤分配の日時などをそこに記録することが可能である。変形形態または組み合わせ形態で、特に電磁波に対する曝露制限の配慮から、第２の情報処理手段は情報処理ネットワークにケーブルで接続することができる。
【００３０】
本発明のいくつかの実施形態では、分配用の移動ユニットの第２の情報処理手段は、共有のデータベースのローカルコピーが記録された少なくとも１つの記憶装置をさらに備える。第２の情報処理手段がケーブルでネットワークに接続されている場合、または建物の構成などのために薬剤分配用の移動ユニットとデータベースとの間の無線によるリアルタイム接続が不可能な場合は、分配用の移動ユニットの第２の情報処理手段は、記憶装置をそうして備えており、その記憶装置にデータベースのコピーを読み込み、関係する分配情報（タイムスタンプ、服用の事実など）をそこに書き込んで、分配が終われば共有のデータベースを更新することができる。さらに、共有のデータベースのそのようなコピーは、共有のデータベースとの連係を可能にする分配用の移動ユニットと通信ネットワークとの間の通信が万一途絶した場合に対処できるようにする。
【００３１】
本発明はまた、本発明による集合体の一部を構成するように適合された薬剤の調製装置にも関する。本発明はまた、本発明による集合体の一部を構成するように適合された薬剤の分配装置にも関する。
【００３２】
本発明はまた、本発明による集合体によって利用される複数の患者のための薬剤の調製および分配の方法にも及ぶ。本発明はそのため、請求項１９に記載の複数の患者のための薬剤の調製および分配の方法にも関する。
【００３３】
本発明による調製の方法、集合体および装置では、前記第１の情報処理手段は共有の前記データベースに少なくとも書込みでアクセスできるように適合され、それによって調製ステップでは、それぞれの容器内におけるそれぞれのピルケースの少なくともそれぞれの識別情報および所在情報の少なくとも記録が可能となるようにする。本発明によるいくつかの実施形態では、前記第１の情報処理手段は共有の前記データベースに読取りでもアクセスできるようにも適合される。
【００３４】
本発明による分配の方法、集合体および装置では、前記第２の情報処理手段は共有の前記データベースに少なくとも読取りでアクセスできるように適合される。本発明によるいくつかの実施形態では、前記第２の情報処理手段は共有の前記データベースに書込みでもアクセスできるように適合される。
【００３５】
本発明はまた、薬剤の調製装置、薬剤の分配装置、薬剤の調製装置および分配装置の集合体、ならびに薬剤の調製および分配の方法において、前述または後述のとおりの特徴のすべてまたはいずれかを組み合わせた形で、または単独で特徴とするものにも関する。それについて形式的に説明されているところがどのようなものであれ、明示的に別段の指定がある場合を除き、前述または後述のそれぞれの特徴は、互いに密接にまたは解きがたく結びついているものと見なされるべきものではなく、本発明はそれらの特徴のうちの１つだけに関するものであるか、またはそれらの特徴のうちの１つの一部だけであることも、またそれらの特徴のすべてまたは一部のあらゆる集合、組み合わせまたは並列に関するものであることもできる。
【００３６】
本発明のその他の目的、特徴および利点は、以下の説明および添付の図面を検討することによって明らかとなろう。
【図面の簡単な説明】
【００３７】
【図１】本発明による薬剤の調製、輸送および分配のための装置の概観図である。
【図２】本発明による薬剤の分配装置の概略図である。
【図３】本発明による容器と組み合わされた調製または分配のためのスタンドの図である。
【図４】それぞれ本発明によるスタンドおよび容器の細部を示した図である。
【図５】それぞれ本発明によるスタンドおよび容器の細部を示した図である。
【発明を実施するための形態】
【００３８】
図１の例では、患者に分配するために薬剤をピルケースに調製する装置（全体を符号１０で表す）であって、薬局など、調製サイトにある装置を図中左側に示した。図中中央（全体を符号２５で表わす）には、調製装置１０によって調製された薬剤およびピルケースを患者が入所する介護施設などの分配サイト３０に向けて安全が確保された状態で配送できる輸送装置を示した。
【００３９】
調製サイトと分配サイトは図示するように互いに離れていることができ、その場合、第１のサイトで調製されたピルケース１２は、たとえば車両２７によって第２のサイトに輸送される。しかし、２つのサイトが互いに目と鼻の先にあっても、場合によっては両者が単一のサイトを構成して、ピルケースの調製が患者を収容中の施設内で行われるのであっても一向に差し支えない。
【００４０】
ピルケースは有利には１回使用（すなわち使い捨て）のもの、たとえば複数のパッケージ区画を有する透明ブリスター型のもので、それぞれのパッケージ区画は患者のための一回服用分の薬剤を含む。ピルケースのそれぞれのパッケージ区画は、印字された粘着カバーからなる除去可能なカバーフィルムによって閉ざされたブリスター型の透明な小房またはカップによって形成されるものであってよく、ピルケースの他のパッケージ区画と分離可能または不能であることができる。それぞれのパッケージ区画は、同じ一回服用分の薬剤のそれぞれの薬剤を互いに分けて保持するように分割されたものであっても、そうでなくてもよい。本発明ではそれ以外のあらゆる実施形態のピルケースも使用することができる。
【００４１】
調製装置１０は、ばらの薬剤１３入りの箱からそれぞれの患者専用の医師の処方に応じてピルケース１２を調製するように適合された包装機１１を備える。そのような包装機１１はたとえば国際公開第２０１２／０６２９８６号に記載されている。包装機１１は、たとえばデータベース１４に接続されたコンピュータ１９を備える第１の情報処理手段と組み合わされている。コンピュータ１９は、それぞれのピルケース１２ごとにピルケースの識別コード、そのピルケースが提供される患者の身元、ピルケースの内容物、ピルケースの充填に使用された薬剤のトレーサビリティ情報などをデータベース１４に記録する。
【００４２】
そして、それぞれのピルケースは、ピルケースの１つのカップを閉じた少なくとも１つのフィルムカバーおよび／またはピルケースのそれぞれのカップを閉じたそれぞれのフィルムカバー上のＲＦＩＤタグまたは印字された１つまたは複数の光学読取り式コードによって一意に識別される。
【００４３】
コンピュータ１９も、少なくとも１つの容器１５を受けるように適合された調製スタンド１６に接続される。図示した例では、それぞれの調製スタンド１６は１つだけの容器１５を受けるように適合されているが、同じ調製スタンド１６が複数の隣接する容器を受けることができるようにしても何ら差し支えない。
【００４４】
それぞれの容器１５は、複数のピルケース１２をその容器に対して挿入／取出するための開口部を有する全体が平行六面体のボックスの形をなす。それぞれの容器１５はピルケースを受け入れる複数の位置を有しており、それぞれの受入れ位置は１つだけのピルケースを受けるように適合される。
【００４５】
それぞれの調製スタンド１６もまた、そのスタンド１６内にセットするようにされたそれぞれの容器１５を挿入／取出するための開口部を有する全体が平行六面体のボックスの形をなす。
【００４６】
図示した例では、それぞれの調製スタンド１６は、容器がスタンド内に挿入されるときにそれぞれの容器１５の識別コード１８を、たとえば、ＲＦＩＤタグのリーダまたは光学式リーダ、さらには容器と一体化された記憶装置の読取りを行うように適合された電子回路などを用いて、読み取る手段を備えている。調製スタンド１６はまた、容器１５のそれぞれの区画を識別し、示すことができるパイロットランプ１７などの手段も備える。
【００４７】
それにより、ピルケース１２が包装機１１によって充填されると、コンピュータ１９は、そのピルケースのために用意された容器１５内の位置に対応する調製スタンド１６のパイロットランプを点灯させることなどによって、容器１５のどの部分にピルケース１２を収納すべきかを作業者に指示する。さらに図５とあわせて見るとわかるように、スタンド１６は容器のそれぞれの区画におけるピルケースの存在を検出する手段を備えていることができ、それによってピルケースが、指示された予定どおりの位置に挿入されたかどうかを検証することができる。
【００４８】
容器１５の識別コード１８に関する情報および調製スタンド１６で充填中の容器１５内におけるそれぞれのピルケース１２の識別および所在に関する情報はスタンドからコンピュータ１９に伝送され、コンピュータ１９はそれをさらにデータベース１４に転記する。
【００４９】
こうして、調製装置１０は、包装機１１によって容器１５内に作成されたピルケース１２をまとめ、どの容器のどの位置にそれぞれのピルケースが収納されたかを特定できるようにする。これらの情報は、データベース１４内のそれぞれのピルケースに関する情報と組み合わされる。
【００５０】
データベース１４はインターネット２１などの遠隔リンクを用いて発注者である介護施設などと共有される。別法として、容器１５が容器と一体をなす記憶装置を備えるときは、データベース１４のうち、特にその容器およびその容器に挿入されたピルケースに関する部分は容器の記憶装置に転送されて、追って薬剤が患者に分配される際に活用されるようにすることができる。
【００５１】
調製装置１０はいくつもの容器１５を並行して調製することができる複数のスタンド１６を備えることができる。そのため、たとえば、あらかじめ決められた時間（朝、昼、夕、就寝時など）に対応する服用分のみを備えるようにピルケース１２が構成されるときなどに、同じ患者について複数のピルケースを調製してそのそれぞれを別個の容器にセットすることができ、それぞれのピルケースはあらかじめ決められたその服用時間に対応する容器にセットすることができる。調製装置１０は、使用するピルケースの容量に応じて、ある患者グループのある曜日またはある週にそれぞれ対応する容器１５を調製するように使用することもできる。
【００５２】
そうして調製された容器１５は次いで仕向先の施設ごとに仕分けされ、その仕向先まで輸送車両２７によって配送される。有利には、容器１５は安全が確保された梱包２６にまとめられ、その梱包はそれぞれ仕向先の施設に対応するものであるとともに、そこには複数の容器、たとえば所与の期間（１日または１週間）について４つの容器が含まれ、それぞれの容器が服用時間（朝、昼、夕、就寝前）に対応する。
【００５３】
容器１５は分配サイト３０に、たとえば、それぞれが部屋３３に入所する複数の患者３２を受け入れる介護施設内のあるフロアの医務室３１に配達される。それまでの分配の際に使用され、医務室３１に保管されていた空の容器は調製サイトに返却されて再利用される。
【００５４】
医務室３１には薬剤の分配装置４０も置かれる。図２とあわせて見るとわかるように、この分配装置４０は、介護スタッフの手で部屋３３から別の部屋３３に移動させることができるキャスタ付き台車４１の形をなす分配用の移動ユニットを備えている。この台車４１は、コンピュータ４２の形をなす第２の情報処理手段を装備している。コンピュータ４２は、インターネット２１につないだアンテナ３４およびルータ３５を備える介護施設の情報通信ネットワークとの間にＷｉ−Ｆｉおよび／またはＢｌｕｅｔｏｏｔｈ（登録商標）リンクのような無線通信手段４５を備えており、それによって薬剤の調製装置１０と共有するデータベース１４にインターネットで直接接続することができる。当然のことながら、患者やスタッフの電磁波への曝露を最小化するという配慮から、コンピュータ４２はネットワークおよび共有のデータベース１４に対するＲＪ４５またはＵＳＢケーブルなどによるケーブル接続での接続手段も備えている。コンピュータ４２は、台車４１と介護施設の情報通信ネットワーク３４との間なり、介護施設の情報通信ネットワーク３４と調製装置１０のデータベース１４との間なりで仮にリンクが切れた場合にも動作することができるように、データベース１４のうち、少なくとも調製サイトから分配サイトに配達された容器１５に対応する部分の１つのコピーを記録することのできる記憶装置を備えることもできる。
【００５５】
薬剤の分配装置４０はさらに、キーボード／マウス／ディスプレイまたはタッチパネル５０のセットなどのコンピュータ４２へのデータ入力手段を、必要に応じてそれを補完するものとして、介護スタッフがケーブルにわずらわされずに台車４１の周囲を移動できるように無線リンクによってコンピュータ４２とつながれた光学式コード（バーコード、二次元コードの「Ｄａｔａｍａｔｒｉｘ」）リーダ４６などの形の非接触型読取りコードの読取り手段とあわせて備える。リーダ４６は、患者３２のベッドの枕元やその部屋の入口などにセットされた患者の識別タグ３７を読み取れるように適合される。リーダ４６は患者の識別情報をコンピュータ４２に伝送する。患者の識別は、タッチパネル５０に表示されたリストからの選択によっても行うことができ、リストには患者の肯定的身元確認のための本人の写真を付け加えることもできる。
【００５６】
分配装置４０は、台車４１に固定され、コンピュータ４２に接続された薬剤の分配スタンド４３も備える。分配スタンド４３は、ピルケース１２が収納された状態の容器１５を受けるように適合される。分配スタンド４３もまた、調製装置１０の調製スタンド１６であらかじめ調製された容器１５の挿入／取出開口部を有する全体に平行六面体のボックス形をなす。
【００５７】
台車４１は、コンピュータ４２、分配スタンド４３、および分配装置４０に付帯する可能性のあるその他あらゆる電気装備に給電することができる電源手段を充電式バッテリ４８の形で備えることもできる。たとえば、台車は、薬剤の分配日時を示すことができる時計４７をさらに備えることができる。当然のことながら、時計４７は第２の情報処理手段の一部をなすものであることができ、コンピュータ４２に含まれるものであることができる。
【００５８】
添付の図３〜５を参照しながら、調製スタンド１６または分配スタンド４３および容器１５について、さらにそれらの相互作用について詳しく説明する。図示した例では、符号は分配スタンド４３に対応している。もっとも、分配スタンド４３は多くの点で調製スタンド１６と共通している。
【００５９】
図３は、容器１５が部分的に挿入された分配スタンド４３を示している。容器１５は、その大きな面のうちの１つが開いた平行六面体のボックス形をなしている。容器１５の側壁内側は、ピルケース１２の側縁１２１（図４）が係合できるように適合された複数のスライダ１５１を備えている。通常、容器１５は２５の異なるピルケースを受け入れるように２５対のスライダを備えており、そのそれぞれのピルケースは一般的には介護施設の１フロアである分配ゾーンの患者いずれか１人に対応する。
【００６０】
容器１５は、スタンドに係合した容器の識別を可能にする識別タグ１８をそのいずれかの面に備える。識別タグ１８の読取り手段は、分配台車４１のためのコードリーダ４６であっても、調製装置１０のためのコードリーダ２０であっても、さらにはスタンド１６または４３に固有の手段であってもよく、識別タグの読取りはスタンドへの容器１５の挿入時に行われる。識別タグ１８は、容器１５と一体をなす電子回路（図示せず）であって、記憶装置を備える電子回路によって代替するか、またはむしろ補完することもできる。電子回路は、容器をスタンドに差し込む際にスタンドの対応するコネクタと接続することのできるコネクタを備える。そのため、コンピュータ４２は、容器１５の識別情報および容器の内容物に関するその他の情報にスタンド４３を介してアクセスすることができる。
【００６１】
分配スタンド４３は、容器１５内のピルケースにそれぞれ対応する一列のパイロットランプ４４を備える。調製スタンド１６も同様に、容器１５内のピルケースにそれぞれ対応する一列のパイロットランプ１７を備える。パイロットランプ４４の役割は、それぞれの患者に関係付けられた識別タグ３７と分配台車４１のコードリーダ４６またはディスプレイ５０上に表示されたリストによる患者の選択を用いて行った患者の識別結果に応じて使用すべきピルケースがどれかを薬剤の分配を行う介護者に対して指示することにある。同様に、調製スタンド１６のパイロットランプ１７は、調製されたばかりのピルケースを容器１５内のどこに挿入するかを調製者に指示する役割を持つ。
【００６２】
容器１５はまた、容器１５が分配スタンド４３に設置されていない間、ピルケース１２を所定の位置に保持するように適合された錠止手段１５２も備えることができる。参考として図４に示した例では、錠止手段１５２は、容器１５の全高にわたって延びる可動軸１５３であって、ピルケース１２の側縁１２１の一方に設けられた孔１２２と協働するように適合された小突起１５４を備える可動軸１５３と一体のスライダの部分１５５を備える可動軸１５３によって構成される。可動軸１５３は、スライダの部分１５５がスライダ１５１と一直線をなし、小突起１５４がピルケース１２の側縁１２１の孔１２２の中に入り込んでピルケースが容器１５から引き出されるのを妨げる第１の位置（錠止位置という）と、スライダの部分１５５が移動することによって小突起１５４がピルケース１２を解放する第２の位置（解放位置）との２つの位置の間で移動する。好ましくは、可動軸１５３はばね（図示せず）によって錠止位置に保持され、容器１５が分配スタンド４３内に挿入されると解放位置方向に移動する。錠止手段１５２により、容器１５内に挿入されたピルケース１２は、運搬や輸送の作業中に容器１５から不注意によって引き出されたり、抜け落ちたりすることはあり得ない。
【００６３】
容器１５内のピルケース１２を一括して錠止する形で表わした錠止手段１５２は別の形を取ることもできる。とりわけ、ピルケースの錠止は、ピルケースが識別された薬剤の分配対象の患者に対応するものでない限りピルケースを解放しないように個別の形で企図することもできる。同様に、錠止手段はピルケースによって、たとえばピルケース１２の側縁１２１から延びる弾性のタブであって、スライダ１５１の穴と弾性的な引留めによって協働するタブの形を取るなどして支えられる。この場合、分配スタンドは、スライダの穴に入り込んでそこから弾性タブを押し出す小突起の形を取るなどして、一括または個別の開錠手段を備えることができる。
【００６４】
また、分配スタンド４３は、そのスライダにおけるピルケースの存在を検出する手段を備えることができる。例として、スタンドの後面などにセットされた装置であって、ピルケース１２と一体の垂直の折返し１２３と協働する光電センサ４９の形でピルケース１２の存在を検出する装置を図５に示した。この場合、金属の被覆を施すことができる垂直の折返し１２３による光電センサ４９から放出される光信号の反射によって、該当するスライドにおけるピルケース１２の存在を示す信号を得ることができる。
【００６５】
存在検出装置のそれ以外の変形形態も企図することが可能で、たとえば、光電センサ４９を、垂直の折返し１２３に取り付けたピルケースの識別タグを読み取ることができる非接触型コードリーダで置き換えることができる。こうした変形形態は、調製スタンド１６に関して、容器１５の充填時にパイロットランプ１７で表示されたスライダに挿入されたピルケースの識別の検証を行えるようにする場合に特に有益である。
【００６６】
本発明による調製装置１０および分配装置４０の動作について、たとえばそれらの装置を使用した本発明による薬剤の調製方法および分配方法と関係付けて以下に説明する。
【００６７】
複数の介護施設向けに集中管理された薬局で一般に行われる第１の調製ステップでは、ピルケース１２は包装機１１によって施設の患者のために医師から交付された処方に応じて調製される。そうして調製された薬剤、その薬剤の投薬対象患者の身元およびその薬剤が調製されたピルケースの識別に関する情報は、調製装置１０のコンピュータ１９を用いてデータベース１４に記録される。
【００６８】
この調製ステップでは、コンピュータ１９につながれた調製スタンド１６と称する第１のスタンドであって、複数のピルケース１２を受けるように適合された容器１５をその中に設置するスタンドを少なくとも１つ使用する。それぞれの容器は一意の識別タグ１８を備え、そのタグは調製者によって操作されるコードリーダ２０またはスタンド１６に固有の読取り手段によって読み取られる。使用中の容器１５の識別はコンピュータ１９に伝送され、データベース１４に記録される。
【００６９】
それぞれのピルケース１２の調製が終わると、ピルケースは、対応するパイロットランプ１７の点灯によって決定される位置など、容器１５内に挿入される。それぞれのピルケースの位置の決定は、分配巡回の順序に関して介護施設から提供される情報に基づいて行うことができる。使用中の容器内で確認されたそれぞれのピルケースの位置の所在はコンピュータ１９に伝送され、該当するピルケースの識別と関係付けてデータベース１４に記録される。
【００７０】
それにより、データベース１４には、それぞれの患者について、その患者のためのピルケースの識別、識別された容器内におけるその所在、ピルケースに含まれる薬剤に関する情報などが含まれる。
【００７１】
所定の介護施設など、何らかの分配サイト３０に仕向けられる容器１５は、安全が確保された梱包２６としてひとまとめにされてその施設まで輸送される。
【００７２】
分配ステップでは、第２のスタンドである分配スタンド４３が取り付けられた移動台車４１を備える分配装置４０であって、そこにつながれたコンピュータ４２が無線通信手段および／またはインターネットでデータベース１４と接続されているか、またはそのデータベースの全体もしくは一部のコピーを含んでいる装置が使用される。
【００７３】
次いで、分配スタンド４３内に容器１５を設置し、コンピュータ４２とつながれたコードリーダ４６などのデータ入力手段を使用して容器のタグ１８に付けられた識別を読み取る。それを受けてコンピュータ４２はデータベース１４に接続され、分配に使用する容器１５に関する前記データベースのすべてのデータを記録することができる。別法として、または補完的に、それらのデータは容器１５と一体をなす記憶装置に含まれるものであってもよい。
【００７４】
次いで、介護者は移動台車４１を使ってそれぞれの患者のもとに移動する。それぞれの患者について、患者の身元は、ディスプレイ５０に表示される患者リストから選択することで決定されるか、またはコードリーダ４６および患者の部屋の入口もしくはその枕元など、患者の近くにセットされた識別タグ３７を用いて読み取られる。そうして得られた患者の識別をもとに、コンピュータ４２は識別された患者に対応するピルケース１２の容器１５内における所在にデータベース１４でアクセスする。
【００７５】
その所在に応じて、スタンド４３はそれに対応するパイロットランプ４４を点灯させることによって容器１５内におけるピルケースの所在を示す。
【００７６】
それにより、介護者は患者に対応するピルケースに直接アクセスして、当該服用分に相当する薬剤を患者に供給することができる。それと同時に、ピルケース１２のカップを閉鎖するカバーフィルムにコードの形で記された情報を改めて読み取ることなどにより、それ以外にいくつかのチェックを行うことができ、それによって薬剤／患者および現在時刻／予定服用時間の対応関係について二重チェックを行うことができる。同様に、患者への薬剤の分配情報およびその分配のタイムスタンプはコンピュータ４２に伝送することができ、コンピュータはそれをデータベースに転記する。
【００７７】
それにより、どの薬剤が調製され、投与されたか、それはいつかなどを含め、患者のための薬剤の調製および分配に関する完全なトレーサビリティを得ることができる。
【００７８】
この説明はもっぱら説明のための例として行ったものであり、当業者であれば、上の説明の過程で触れた変形形態以外にも、たとえば、容器１５の識別ばかりでなく、その容器に対応するデータベース内のデータ部分までも含むことで、データベース１４と分配装置４０との間のリンクなしで済ませることができるようにした記憶装置をそれぞれの容器１５に設置することなど、本発明の範囲から外れることなしにいくつもの変更をそこに加えることができるであろうことは言うまでもない。
【００７９】
本発明は上述のもの以外のいくつもの変形形態や用途の対象となりうる。とりわけ、別途指定のある場合を除き、上述の実施形態の様々な特徴は、組み合わされたもの、ならびに／または互いに緊密に、および／もしくは分かちがたく連関したものであると見なされてはならず、単に列挙されたものとして考えるべきものであることは自明である。また、上述の様々な実施形態の特徴は、そのすべてまたは一部があらゆる異なる列挙または異なる組み合わせの対象となりうるものである。
【図１】
2019536519.tif 000003
【図２】
2019536519.tif 000004
【図３】
2019536519.tif 000005
【図４】
2019536519.tif 000006
【図５】
2019536519.tif 000007
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
複数の患者に対して薬剤を調製し、分配する装置の集合体において、
前記複数の患者のために薬剤をピルケースに調製する少なくとも１つの装置（１０）であって、
前記複数の患者のうちのある患者用の一続きのパッケージであるピルケース（１２）の少なくとも１つの区画であり、それぞれのピルケースが複数のパッケージ区画を有するとともに患者個人に対応している、パッケージの区画に、１日のうちのあるタイミングである服用時間に当該患者に交付するための少なくとも１つの薬剤のセットである一回服用分の薬剤を充填するように適合された少なくとも１つの包装機（１１）と、
前記薬剤、前記ピルケースおよびそれらが提供される前記患者に関する情報を記録するように適合された情報処理手段である第１の情報処理手段（１９）と、
少なくとも１つの容器（１５）であって、調製終了後にその容器に挿入できる複数のピルケースを受けるように適合され、容器に挿入されたそれぞれのピルケースは患者個人に対応する、容器と、
前記第１の情報処理手段と接続された少なくとも１つのスタンドである調製スタンド（１６）であって、前記調整スタンドに設置される前記少なくとも１つの容器を受けるように適合され、前記調製スタンドに設置されたそれぞれの容器の識別（１８）と、それぞれの容器内におけるそれぞれのピルケースの識別および所在の情報とを共有のデータベース（１４）に記録するように適合されたスタンドと
を備える装置と、
前記複数の患者に薬剤を分配する少なくとも１つの装置（４０）であって、
情報処理手段である第２の情報処理手段（４２）を備える分配用の移動ユニット（４１）と、
前記第２の情報処理手段に接続された投薬対象患者の識別手段（４６、５０）と、
一意の識別（１８）を備える少なくとも１つの容器（１５）であって、それぞれの容器が複数のピルケース（１２）を備え、それぞれのピルケースは患者個人に対応する、容器と、
前記分配用の移動ユニット（４１）に装備され、前記第２の情報処理手段に接続された少なくとも１つのスタンドである分配スタンド（４３）であって、前記分配スタンドに設置されるいずれかの前記容器を受けるように適合されており、前記共有のデータベース（１４）に基づいて前記分配スタンドに設置された前記容器を識別し、投薬対象患者の識別に対応する容器内におけるピルケースの位置を指示するように適合されたスタンドと
を備える装置と
を備えること、
前記調製スタンド（１６）および前記分配スタンド（４３）が同一の容器（１５）を受けるように適合されること、
ならびに、前記第１および第２の情報処理手段（１９、４２）が前記容器の識別および内容物の情報を備えた共通の前記共有のデータベース（１４）を共有すること
を特徴とする集合体。
【請求項２】
それぞれのピルケース（１２）が複数のパッケージ区画を備え、それぞれのパッケージ区画が少なくとも１つの薬剤の集合体である一回服用分の薬剤を含み、当該それぞれのピルケース（１２）が前記ピルケースの識別コードを有すること、それぞれの調製スタンド（１６）が当該調製スタンドに受けたそれぞれの容器に含まれるそれぞれのピルケースのそれぞれの識別コードを読み取って記録することができるように適合されること、およびそれぞれの分配スタンド（４３）がその分配スタンドに受けたそれぞれの容器に含まれるそれぞれのピルケースのそれぞれの識別コードを読み取ることができるように適合されることを特徴とする、請求項１に記載の集合体。
【請求項３】
調製場所と分配場所（３０）との間の輸送、および分配場所での保管に適した容器一式の安全が確保された梱包手段（２６）をさらに備えることを特徴とする、請求項１または２に記載の集合体。
【請求項４】
それぞれの容器（１５）が、１つだけのピルケース（１２）を受けるようにそれぞれ適合された複数の所定の位置を備えることを特徴とする、請求項１から３のいずれか一項に記載の集合体。
【請求項５】
それぞれの調製スタンド（１６）およびそれぞれの分配スタンド（４３）が、容器（１５）が前記スタンド（１６、４３）内に設置されたときのその容器のそれぞれの位置におけるピルケースの存在（４９）を検出する手段を備えることを特徴とする、請求項１から４のいずれか一項に記載の分配のための集合体。
【請求項６】
それぞれの容器（１５）が、前記第１および前記第２の情報処理手段と関連付けられた読取り手段による読取りが可能な一意の識別手段（１８）を備えることを特徴とする、請求項１から５のいずれか一項に記載の集合体。
【請求項７】
識別のための前記手段が、少なくとも１つの非接触型読取りコードを備えることを特徴とする、請求項６に記載の集合体。
【請求項８】
識別のための前記手段（１８）が、前記容器（１５）と一体化した記憶装置であって、前記容器が設置される前記スタンド（１６、４３）による読取りが行えるように適合された記憶装置を備えることを特徴とする、請求項６または７に記載の集合体。
【請求項９】
それぞれの容器（１５）が、前記容器がスタンドに設置されていないときには前記ピルケースを前記容器内に錠止する手段（１５２）を備えることを特徴とする、請求項１から８のいずれか一項に記載の集合体。
【請求項１０】
複数の患者のために薬剤をピルケースに調製する装置（１０）であって、
前記複数の患者のうちのある患者用の一続きのパッケージであるピルケース（１２）の少なくとも１つの区画であり、それぞれのピルケースが複数のパッケージ区画を有するとともに患者個人に対応している、パッケージの区画に、１日のうちのあるタイミングである服用時間に当該患者に交付するための少なくとも１つの薬剤のセットである一回服用分の薬剤を充填するように適合された少なくとも１つの包装機（１１）と、
前記薬剤、前記ピルケースおよびそれらが提供される前記患者に関する情報を記録するように適合された情報処理手段である第１の情報処理手段（１９）と
を備える装置において、
少なくとも１つの容器（１５）であって、調整終了後に当該容器に挿入できる複数のピルケースを受けるように適合され、容器に挿入されたそれぞれのピルケースは患者個人に対応する、容器と、
前記第１の情報処理手段と接続された少なくとも１つのスタンドである調製スタンド（１６）であって、前記調整スタンドに設置される少なくとも１つの前記容器を受けるように適合され、前記調製スタンドに設置されたそれぞれの容器の識別（１８）と、それぞれの容器内におけるそれぞれのピルケースの識別および所在の情報とを共有のデータベース（１４）に記録するように適合されたスタンドと
を備えることを特徴とする装置。
【請求項１１】
請求項１から９のいずれか一項に記載の集合体の一部を構成するように適合されることを特徴とする、請求項１０に記載の薬剤の調製装置。
【請求項１２】
複数の患者に薬剤を分配する装置（４０）であって、
情報処理手段である第２の情報処理手段（４２）を備える分配用の移動ユニット（４１）と、
前記第２の情報処理手段に接続された投薬対象患者の識別手段（４６、５０）と
を備える装置において、
一意の識別（１８）を備え、複数のパッケージであるピルケース（１２）を備える少なくとも１つの容器（１５）であって、それぞれのピルケースが複数のパッケージ区画を有するとともに患者個人に対応する一続きのパッケージである、容器と、
前記分配用の移動ユニット（４１）に装備され、前記第２の情報処理手段に接続された、少なくとも１つのスタンドである分配スタンド（４３）であって、前記分配スタンドに設置されるいずれかの前記容器を受けるように適合されており、共有のデータベース（１４）に基づいて前記分配スタンドに設置された前記容器を識別し、投薬対象患者の識別に対応する前記容器内におけるピルケースの位置を指示するように適合されたスタンドと
を備えることを特徴とする装置。
【請求項１３】
前記分配用の移動ユニット（４１）が前記第２の情報処理手段（４２）および前記分配スタンド（４３）の電源手段（４８）を備えることを特徴とする、請求項１２に記載の分配装置。
【請求項１４】
前記分配用の移動ユニット（４１）が非接触型読取りコードの読取り手段（４６）を備えており、当該読取り手段（４６）が前記第２の情報処理手段（４２）と関連付けられて、患者（３２）の識別コード（３７）、容器（１５）の識別コードおよびそれぞれのピルケース（１２）に付けられた情報コードを読み取るように適合されることを特徴とする、請求項１２または１３に記載の分配装置。
【請求項１５】
前記分配用の移動ユニット（４１）が、患者に対する一回服用分の薬剤の分配のタイムスタンプ用の時計（４７）を備えることを特徴とする、請求項１２から１４のいずれか一項に記載の分配装置。
【請求項１６】
前記分配用の移動ユニット（４１）の前記第２の情報処理手段（４２）が、共有の前記データベース（１４）にアクセスするために情報通信ネットワーク（３４、３５）と通信するように適合された通信手段（４５）を備えることを特徴とする、請求項１２から１５のいずれか一項に記載の分配装置。
【請求項１７】
前記分配用の移動ユニット（４１）の前記第２の情報処理手段（４２）が、前記共有のデータベース（１４）のローカルコピーが記録された少なくとも１つの記憶装置をさらに備えることを特徴とする、請求項１２から１６のいずれか一項に記載の分配装置。
【請求項１８】
請求項１から９のいずれか一項に記載の集合体の一部を構成するように適合されることを特徴とする、請求項１２から１７のいずれか一項に記載の分配装置。
【請求項１９】
複数の患者のための薬剤の調製および分配の方法であって、前記複数の患者の各々の患者（３２）について、前記各々の患者のための薬剤が、複数のパッケージ区画を備える一続きの少なくも１つのパッケージであるピルケース（１２）に梱包され、それぞれのパッケージ区画に、１日のうちのあるタイミングである服用時間にその患者に交付するための少なくとも１つの薬剤のセットである一回服用分の薬剤が含まれ、それぞれのピルケースが複数のパッケージ区画を有するとともに患者個人に対応している方法において、
調製ステップでは、
共有のデータベース（１４）にアクセスできるように適合された情報処理手段である第１の情報処理手段（１９）につながれた少なくとも１つのスタンドである調製スタンド（１６）を使用し、
少なくとも１つの容器（１５）であり、調整終了後にその容器に挿入される複数のピルケースを受けるように適合された容器を前記スタンドに設置し、前記調製スタンドに設置されたそれぞれの容器の識別（１８）を前記データベースに記録し、
少なくとも１つのピルケースをそれぞれの容器に挿入し、それぞれの容器内におけるそれぞれのピルケースの識別および所在の情報を共有の前記データベースに記録し、
分配ステップでは、
前記共有の前記データベース（１４）を共有するように適合された第２の情報処理手段（４２）につながれたスタンドである分配スタンド（４３）を使用し、
調製スタンドであらかじめ調製された容器（１５）を前記分配スタンドに設置し、
データ入力手段（４６、５０）を使って前記容器の識別情報（１８）を読み取り、
それぞれの患者について、前記データ入力手段（４６、５０）を使って前記患者の識別（３７）を取得し、
前記患者の識別に応じて前記第２の情報処理手段により前記共有のデータベースを調べ、前記患者に対応する前記ピルケースの前記容器内における前記所在を指示するように分配スタンドを操作する、
方法。
【国際調査報告】
2019536519.tif 000008
2019536519.tif 000009
2019536519.tif 000010
2019536519.tif 000011
2019536519.tif 000012
2019536519.tif 000013